(57)【要約】【課題】  余剰の衣類用ハンガーを効率的にクローゼットや押入れ等に収容可能であって、かつ収容保管する余剰用ハンガーの数が少ない場合であっても効率よく収容空間を使用することができる衣類用ハンガー収容具を提供する。【解決手段】  硬質な板材で形成された上面、底面及び柔軟なシートで作製された両側側面からなる外周枠１０と、前記外周枠内に形成された仕切面２１によって、高さが２５ｃｍ〜４０ｃｍであって、高さ方向に２〜６個連続して形成された収容部２０と、少なくとも１つ以上の前記収容部２０に、両側面間に架設された棒状部材３０と、前記外周枠の頂面に形成されたパイプ取付部４０と、を備えたことを特徴とする。【選択図】図１
2019041845.tif 000002
【特許請求の範囲】
【請求項１】
硬質な板材で形成された上面、底面及び柔軟なシートで作製された両側側面からなる外周枠と、
前記外周枠内に形成された仕切面によって、高さが２５ｃｍ〜４０ｃｍであって高さ方向に２〜６個連続して形成された収容部と、
少なくとも１つ以上の前記収容部に、両側面間に架設された棒状部材と、
前記外周枠の頂面に形成されたパイプ取付部と、
を備えたことを特徴とする衣類用ハンガー収容具。
【請求項２】
前記収容部の両側側面には、開口が形成されており、
前記棒状部材は、開口に挿入されていることを特徴とする請求項１記載の衣類用ハンガー収容具。
【請求項３】
前記棒状部材は、少なくともいずれかの端部に取り外し自在のキャップが設けられていることを特徴とする請求項１又は２に記載の衣類用ハンガー収容具。
【請求項４】
前記棒状部材を収納する収納部を備えていることを特徴とする請求項１から３のいずれか１項に記載の衣類用ハンガー収容具。
【請求項５】
前記仕切面は、左右のいずれかの側面に対し、着脱自在に設けられていることを特徴とする請求項１から４のいずれか１項に記載の衣類用ハンガー収容具。
【発明の詳細な説明】
【技術分野】
【０００１】
本発明は、衣類用ハンガー収容具に関する。
【背景技術】
【０００２】
衣類用ハンガーは、衣服を購入した際やクリーニングに衣類を出した際にもらえることが多く、必要以上にその数量が増えてしまう可能性がある。こうした余剰の衣類用ハンガーは、クローゼットや押入れ等の衣服用の吊り下げ棒にハンガーのみを吊り下げておいたり、又は別の収容容器に一次的に保管したりすることが行われている。
【０００３】
しかしながら、クローゼットや押入れの吊り下げ棒に衣類用ハンガーのみを吊るしておくと、大きなスペースが取られてしまい、衣類等を掛ける領域を狭めてしまうことになる。一方で、収容容器等に衣類用ハンガーを収容・保管しておくと、収容容器自体の収容スペースを確保する必要があるという課題があった。
【発明の概要】
【発明が解決しようとする課題】
【０００４】
そこで、本発明は、上述した課題を解決するためになされたものであり、余剰の衣類用ハンガーを効率的にクローゼットや押入れ等に収容可能であって、かつ収容保管する余剰用ハンガーの数が少ない場合であっても効率よく収容空間を使用することができる衣類用ハンガー収容具を提供することを主たる目的とする。
【課題を解決するための手段】
【０００５】
本発明は、上述の目的を達成するために以下の手段を採った。
【０００６】
本発明に係る衣類用ハンガー収容具は、
硬質な板材で形成された上面、底面及び柔軟なシートで作製された両側側面からなる外周枠と、
前記外周枠内に形成された仕切面によって、高さが２５ｃｍ〜４０ｃｍ以内に高さ方向に２〜６個連続して形成された収容部と、
少なくとも１つ以上の前記収容部に、両側面間に架設された棒状部材と、
前記外周枠の頂面に形成されたパイプ取付部と、
を備えたことを特徴とする。
【０００７】
本発明にかかる衣類用ハンガー収容具は、クローゼットや押入れ内に形成された吊り下げ用パイプに取付け可能であり、かつ高さ方向に複数設けられている収容部に棒状部材が架設されているので、複数の各収容部に衣類用ハンガーを吊り下げることができる。よって、同じ幅の中に複数の衣類用ハンガー架設部を設けることができるので、より多くの余剰の衣類用ハンガーを収容することができる。また、余剰衣類用ハンガーが少ない場合には、バッグや小物類の載置領域として使用することが可能となる。
【０００８】
また、本発明にかかる衣類用ハンガー収容具において、
前記収容部の両側側面には、開口が形成されており、
前記棒状部材は、開口に挿入されていることを特徴とするものであってもよい。
【０００９】
かかる構成を採用することによって、棒状部材を開口が抜き差しすることで、容易に取付けたり、取り外したりすることができる。そのため、余剰衣類用ハンガーが少なく、ハンガー掛けとして使用していない収容部の棒状部材を取り外してより広い載置領域とすることができる。
【００１０】
さらに、本発明にかかる衣類用ハンガー収容具において、
前記棒状部材は、少なくともいずれかの端部に取り外し自在のキャップが設けられていることを特徴とするものであってもよい。
【００１１】
かかるキャップを設けることによって、棒状部材を架設した際に棒状部材が外れる可能性を低減することができる。
【００１２】
さらに、本発明にかかる衣類用ハンガー収容具において、
前記棒状部材を収納する収納部を備えていることを特徴とするものであってもよい。
【００１３】
かかる構成を採用することによって、余剰衣類用ハンガーが少なく、ハンガー掛けとして使用していない収容部の棒状部材を取り外して載置領域を形成した際に、棒状部材の収納場所を確保することができる。
【００１４】
さらに、本発明にかかる衣類用ハンガー収容具において、
前記仕切面は、左右のいずれかの側面に対し、着脱自在に設けられていることを特徴とするものであってもよい。
【００１５】
かかる構成を採用することによって、使用していない収容部が２つ以上ある場合に仕切面を一方の側面から外すことによって、上下の収容部を連結して広い収容部とすることができ、広い載置領域を作製することができる。
【発明の効果】
【００１６】
本発明にかかる衣類用ハンガー収容具によれば、同じ幅の中に複数の衣類用ハンガー架設部を設けることができるので、より多くの余剰衣類用ハンガーを収容することができる。また、余剰衣類用ハンガーが少ない場合には、バッグや小物類の載置領域として使用することが可能となる。
【図面の簡単な説明】
【００１７】
【図１】図１は、実施形態にかかる衣類用ハンガー収容具１００の正面、上面及び左側面を表す一部透視斜視図である。
【図２】図２は、実施形態にかかる衣類用ハンガー収容具１００の背面、底面及び右側面を表す斜視図である。
【図３】図３は、実施形態にかかる衣類用ハンガー収容具１００の別実施形態を示す斜視図である。
【図４】図４は、実施形態にかかる衣類用ハンガー収容具１００の仕切面２１の別実施形態を示す斜視図である。
【発明を実施するための形態】
【００１８】
次に、本発明にかかる衣類用ハンガー収容具１００の実施形態について、図を参照しつつ詳細に説明する。なお、以下に説明する実施の形態及び図面は、本発明の実施形態の一部を例示するものであり、これらの構成に限定する目的に使用されるものではなく、本発明の要旨を逸脱しない範囲において適宜変更することができる。なお、説明の便宜上、図１において左上の矢印の方向が示す方向をそれぞれ、上、下、前、後、側方、として説明する。
【００１９】
図１及び図２は、実施形態にかかる衣類用ハンガー収容具１００の斜視図である。実施形態にかかる衣類用ハンガー収容具１００は、主として、外周枠１０と、この外周枠１０の間を仕切る仕切面２１で形成された収容部２０と、この収容部２０の両側面間に架設された棒状部材３０と、外周枠１０の上面１１に形成されたパイプ取付部４０と、を備えている。
【００２０】
外周枠１０は、容易に変形しない程度の硬質の板状に形成された上面１１、底面１２及び両側面１３からなる前後が開放された枠材であり、少なくとも両側面１３は、布やプラスチックシート等の柔軟なシートから作製されている。なお、底面１２は、柔軟なシートで作製してもよいし、硬質な板状に形成してもよい。外周枠１０の前後方向の幅は、特に限定するものではない。本発明にかかる衣類用ハンガー収容具１００は、衣類用ハンガーを掛けることを第１目的とし、被収容物を載置して保管することは第２目的であるため、衣類用ハンガー９０よりも狭い幅、例えば、一般的な衣類用ハンガー９０の幅（４５ｃｍ程度）よりも狭くてもよい。例えば、２０ｃｍ〜４０ｃｍ程度であってもよい。衣類用ハンガー９０より狭い前後幅とすることによって、衣類用ハンガー９０を掛けたり、取り外したりしやすくすることができる。なお、任意に、外周枠１０の側面に、後述する棒状部材３０を収容可能な収納部１８を設けても良い。
【００２１】
収容部２０は、外周枠１０に形成された内部空間を上下に仕切る仕切面２１によって複数の空間に形成されている。図１及び図２においては、４つの収容部２０が形成されている。仕切面２１は、硬質な板材で作製してもよいし、柔軟なシートで作製してもよい。それぞれの収容部２０の高さは、衣類用ハンガー９０が収容可能な高さを有していればよい。例えば、２５ｃｍ〜４０ｃｍ程度の高さで構わない。収容部２０の両側面１３には、棒状部材３０を架設するための開口部１５が設けられている。開口部１５は、それぞれの収容部２０において上方の上面１１又は仕切面２１との間に２ｃｍ〜５ｃｍ程度下方に設けられる。
【００２２】
棒状部材３０は、衣類用ハンガー９０を収容部２０内に掛けるための部材であり、前述した両側面１３の開口部１５間に挿入して架設される。開口部１５がそれぞれの収容部２０において上方の上面１１又は仕切面２１との間に２ｃｍ〜５ｃｍ程度下方に設けられるため、棒状部材３０は、上方の上面１１又は仕切面２１との間に２ｃｍ〜５ｃｍ程度の隙間が形成されることになる。これは、衣類用ハンガー９０のフック９１を掛けるためのものである。また、棒状部材３０は、図１に示すように、棒状部材３０の両端に取り外し自在に固定可能なキャップ３１を有しており、容易に外周枠１０から取り外し可能に形成されている。キャップ３１の外周は、開口部１５よりも大きい直径を有しており、開口部１５を通り抜けることができないため、棒状部材３０が架設状態から落下する可能性を低減することができる。一方で、容易に取り外し可能に設けることで、収容部２０を衣類用ハンガー９０を掛けるのに使用しない場合に、棒状部材３０が存在する場合と比較して、バッグや小物等を載置するための広い載置領域を形成することができる。また、多数の衣類用ハンガー９０が掛けてある場合に、衣類用ハンガー９０を収容部２０から回収する場合に、棒状部材３０を引き抜くことによって掛けてあるすべての衣類用ハンガー９０のフック９１を外すことができる。そのため容易に衣類用ハンガー９０すべてを回収することができる。この際に、それぞれの収容部２０は、衣類用ハンガー９０の高さに対して、それほど大きく収容部２０の高さを高くしていないので、衣類用ハンガー９０が収容部２０内で整列した状態で外れるので、より回収しやすくすることができる。
【００２３】
パイプ取付部４０は、外周枠１０の上面１１に取付けられており、クローゼットや押入れの吊り下げ用パイプに取付けられるように形成されていれば特にその形態は限定するものではない。本実施形態においては、図１に示すように、上面１１に縫製された２つの柔軟な矩形のシート部材からなり、それぞれに雄雌の面ファスナー（図示しない。）が設けられていて、吊り下げパイプの両側からシート部材を配置して面ファスナーで取付けられるように形成されている。その他、例えば、フックで形成したりしてもよい。
【００２４】
以上のように作製された衣類用ハンガー収容具１００は、両側面１３が柔軟なシートで作製されているため、両側面１３は折り畳むことができ、使用しない場合には、上面１１と同様の大きさに折り畳むことができる。
【００２５】
なお、上述した実施形態においては、収容部２０が４つであったが、これに限定するものではなく、図３に示すように、収容部２０が３つであってもよいし、収容部２０が５つ以上であってもよい。
【００２６】
さらに、上述した実施形態においては、仕切面２１が両側面１３に固定されていたが、図４に示すように、仕切面２１と両側面１３とのいずれかにおいて、取り外し可能に設けても良い。例えば、仕切面２１と両側面１３との間に雄雌の面ファスナー２８、２８を設けることによって達成することができる。このように、仕切面２１のいずれか１方が取り外し可能に設けることによって、余剰の衣類用ハンガー９０が少ない場合に、仕切面２１を外して、より広い載置用領域として使用することができる。
【産業上の利用可能性】
【００２７】
上述した実施の形態で示すように、衣類用ハンガーを掛けるための収容具として産業上利用することができる。
【符号の説明】
【００２８】
１０…外周枠、１１…上面、１２…底面、１３…両側面、１５…開口部、１８…収納部、２０…収容部、２１…仕切面、２８…面ファスナー、３０…棒状部材、３１…キャップ、４０…パイプ取付部、９０…衣類用ハンガー、９１…フック、１００…衣類用ハンガー収容具
【図１】
2019041845.tif 000003
【図２】
2019041845.tif 000004
【図３】
2019041845.tif 000005
【図４】
2019041845.tif 000006